(57)【要約】【課題】着脱が容易で安全性の高い工具吊り下げ構造を得る。【解決手段】工具吊り下げ構造２は、ベルト３に装着される吊り下げ保持具４と、工具６に取り付けられ、吊り下げ保持具４に差し入れられる係合具５とを備えて構成される。吊り下げ保持具４は、筒体１０とこの筒体１０の内側壁１０Ａに形成されベルト３にベルトに挿脱自在に装着される差し込み部１１とを備えている。筒体１０の外側壁１０Ｂには、切欠部１３が切り欠かれて形成される。切欠部１３は上部が上端開口部１２に次第に窄まる案内部１３Ａとスリット部１３Ｂとにより構成される。係合具５は、スリット部１３Ｂの幅Ｗ１より小径の軸部２０と、この軸部２０の一端にスリットの幅Ｗ１より長寸に形成された鍔部２１と、工具６に取り付けられる取り付け部２２とを備えている。係合具５を吊り下げ保持具４に掛止させると、工具６は揺動自在に吊り下げられる。【選択図】図１
2008284630.tif 000002
【特許請求の範囲】
【請求項１】
身に付けるベルトに装着される吊り下げ保持具と、工具側に取り付けられ、吊り下げ保持具に着脱自在に掛止される係合具とを備え、係合具を介して工具を吊り下げ保持具に吊り下げる工具吊り下げ構造であって、
吊り下げ保持具を、上部が上端開口部から次第に窄まり下部がこの上部に連続してスリット状に切り欠かれたＹ字状切欠部を外側壁に形成した筒体と、この筒体の内側壁に形成されベルトに挿脱自在に装着される差し込み部とを備えて構成し、
係合具を、切欠部のスリットの幅より小径に形成された軸部と、この軸部の一端にスリットの幅より長寸に形成された鍔部と、軸部他端から折曲されて延長され工具に取り付けられる取り付け部とを備えて構成し、
係合具を切欠部下端に掛止させて工具を揺動自在に吊り下げることを特徴とする工具吊り下げ構造。
【請求項２】
筒体を、木製または合成樹脂製の板体で形成したことを特徴とする請求項１に記載の工具吊り下げ構造。
【請求項３】
筒体を、外形を形作る枠体とこの枠体を覆って設けられる柔軟材とにより構成したことを特徴とする請求項１に記載の工具吊り下げ構造。
【請求項４】
鍔部を長寸部と短寸部とを有するよう構成し、筒体の中間部を短寸部が通過可能にかつ長寸部が通過不能に括れさせたことを特徴とする請求項１ないし３のうちいずれか１に記載の工具吊り下げ構造。
【発明の詳細な説明】
【技術分野】
【０００１】
本発明は、工具吊り下げ構造に係り、特に、電動工具およびエアー工具を腰につけるベルトに吊り下げる工具吊り下げ構造に関するものである。
【背景技術】
【０００２】
従来、電動工具やコンプレッサに接続されたエアー工具等の工具を腰ベルトに装着して持ち運ぶには、電動工具側に設けられたフックをベルトと身体側との間に差し込んで運ぶようにしている。しかしながら、このような従来の吊り下げ構造では、単にベルトに上から差し込むだけなので前後方向の揺れや下からの外力によりフックがベルトから外れ、工具が落下する虞がある。このため、工具をより確実に保持する目的で、ベルトに工具頭部の外径より大きく設定され周方向寸法の異なる両Ｃ字状フックを、工具首部の寸法より大きい間隔を隔てて設けた工具ホルダが提案されている（特許文献１参照。）。
【特許文献１】特開平７−２９９７７２号公報（第３頁、図１）
【発明の開示】
【発明が解決しようとする課題】
【０００３】
しかしながら、上記従来の工具ホルダでは、工具頭部が比較的小さい金槌等の工具では、ベルトに吊り下げても作業の邪魔になりにくいものの、頭部の嵩が大きい携帯用の充電式電動工具（電動ドリルや電動ドライバ）では、ベルトに頭部があると作業の邪魔になるという問題がある。また、このような電動工具では握り部の下側に嵩張る充電部が設けられており、装着するには、一旦充電部を上方に持ち上げて頭部を周方向寸法の長いＣ字状フックに挿通させ、充電部を下方に押し下げる必要があり、装着および取り外しに難渋するという問題がある。また、電動工具を吊り下げた状態で外力が加わると、電動工具からベルトを介して直接身体に伝わるので、作業がしにくいという問題がある。
【０００４】
本発明は、上記課題を解決するためになされたもので、着脱が容易で、落下しにくく、しかも、外力を受けても直接身体に衝撃を与えることのない工具吊り下げ構造を提供することを目的とするものである。
【課題を解決するための手段】
【０００５】
本発明の請求項１に係る工具吊り下げ構造は、身に付けるベルトに装着される吊り下げ保持具と、工具側に取り付けられ、吊り下げ保持具に着脱自在に掛止される係合具とを備え、係合具を介して工具を吊り下げ保持具に吊り下げる工具吊り下げ構造であって、吊り下げ保持具を、上部が上端開口部から次第に窄まり下部がこの上部に連続してスリット状に切り欠かれたＹ字状切欠部を外側壁に形成した筒体と、この筒体の内側壁に形成されベルトに挿脱自在に装着される差し込み部とを備えて構成し、係合具を、切欠部のスリットの幅より小径に形成された軸部と、この軸部の一端にスリットの幅より長寸に形成された鍔部と、軸部他端から折曲されて延長され工具に取り付けられる取り付け部とを備えて構成し、係合具を切欠部下端に掛止させて工具を揺動自在に吊り下げるようにしたものである。
【０００６】
本発明の請求項１に係る工具吊り下げ構造では、身に付けるベルトに装着される吊り下げ保持具と、工具側に取り付けられ、吊り下げ保持具に着脱自在に掛止される係合具とを備え、係合具を介して工具を吊り下げ保持具に吊り下げる工具吊り下げ構造であって、吊り下げ保持具を、上部が上端開口部から次第に窄まり下部がこの上部に連続してスリット状に切り欠かれたＹ字状切欠部を外側壁に形成した筒体と、この筒体の内側壁に形成されベルトに挿脱自在に装着される差し込み部とを備えて構成し、係合具を、切欠部のスリットの幅より小径に形成された軸部と、この軸部の一端にスリットの幅より長寸に形成された鍔部と、軸部他端から折曲されて延長され工具に取り付けられる取り付け部とを備えて構成し、係合具を切欠部下端に掛止させて工具を揺動自在に吊り下げるようにしたことにより、工具側の係合具を筒体の切欠部上部から下部のスリットに差し入れると、係合具はスロット下端に掛止され、工具は揺動自在に支持される。このため、工具は外力を受けると、係合具を中心に揺動して力が分散されるので、外力が直接身体に伝わることがない。係合具は切欠部の上部を通じて筒体に着脱されるので、容易に装着および取り外しを行うことができる
【０００７】
また、請求項２に係る工具吊り下げ構造は、筒体を、木製または合成樹脂製の板体で形成したものである。
【０００８】
請求項２に係る工具吊り下げ構造では、筒体を、木製または合成樹脂製の板体で形成したことにより、係合具を筒体に確実に掛止することができる。
【０００９】
請求項３に係る工具吊り下げ構造は、筒体を、外形を形作る枠体とこの枠体を覆って設けられる柔軟材とにより構成したものである。
【００１０】
請求項３に係る工具吊り下げ構造では、筒体を、外形を形作る枠体とこの枠体を覆って設けられる柔軟材とにより構成したことにより、係合具は工具側から揺動方向の力が加わると柔軟材に当たるので、揺動を許容しやすくなる。このため、工具は外力を受けると、係合具を中心に揺動して力が分散されやすくなる。
【００１１】
請求項４に係る工具吊り下げ構造は、鍔部を長寸部と短寸部とを有するよう構成し、筒体の中間部を短寸部が通過可能にかつ長寸部が通過不能に括れさせたものである。
【００１２】
請求項４に係る工具吊り下げ構造では、鍔部を長寸部と短寸部とを有するよう構成し、筒体の中間部を短寸部が通過可能にかつ長寸部が通過不能に括れさせたことにより、静止状態で吊り下げられた工具に下方から外力がかかり、鍔部の長寸部が上方に変位しても筒体の括れた中間部に当たって上方への変位が阻止されるので係合具は吊り下げ保持具から外れることがない。
【発明の効果】
【００１３】
本発明に係る工具吊り下げ構造は、身に付けるベルトに装着される吊り下げ保持具と、工具側に取り付けられ、吊り下げ保持具に着脱自在に掛止される係合具とを備え、係合具を介して工具を吊り下げ保持具に吊り下げる工具吊り下げ構造であって、吊り下げ保持具を、上部が上端開口部から次第に窄まり下部がこの上部に連続してスリット状に切り欠かれたＹ字状切欠部を外側壁に形成した筒体と、この筒体の内側壁に形成されベルトに挿脱自在に装着される差し込み部とを備えて構成し、係合具を、切欠部のスリットの幅より小径に形成された軸部と、この軸部の一端にスリットの幅より長寸に形成された鍔部と、軸部他端から折曲されて延長され工具に取り付けられる取り付け部とを備えて構成し、係合具を切欠部下端に掛止させて工具を揺動自在に吊り下げるようにしているので、工具をベルトに装着したり取り外したりしやすく、工具を装着した際、外力を受けても落下しにくい。このため、持ち運びしやすく安全性を向上させることができる。
【発明を実施するための最良の形態】
【００１４】
安全で持ち運びしやすくするという目的を、吊り下げ保持具が、上部が上端開口部から次第に窄まり下部がこの上部に連続してスリット状に切り欠かれたＹ字状切欠部を外側壁に形成した筒体と、この筒体の内側壁に形成されベルトに挿脱自在に装着される差し込み部とを備え、係合具が、切欠部のスリットの幅より小径に形成された軸部と、この軸部の一端にスリットの幅より長寸に形成された鍔部と、軸部他端から折曲されて延長され工具に取り付けられる取り付け部とを備えるようにし、係合具を切欠部下端に掛止させて工具を揺動自在に吊り下げるようにしたことにより実現した。
【実施例１】
【００１５】
以下、図面に示す実施例により本発明を説明する。図１の（Ａ）、（Ｂ）はそれぞれ、本発明の一実施例に係る工具吊り下げ構造の吊り下げ保持具と係合具とを示す斜視図である。本実施例に係る工具吊り下げ構造２は、図１（Ａ）に示すように、身につけるベルト３と身体側との間に差し込んで装着される吊り下げ保持具４と、充電式電動工具（電動ドリルや電動ドライバ、以下工具と称す。）６側（図５参照）に取り付けられ、吊り下げ保持具４に吊り下げられる係合具５とを備えて構成される。
【００１６】
吊り下げ保持具４は、図１の（Ａ）および図２の（Ａ）、（Ｂ）に示すように、木製または合成樹脂製の板体で形成される。吊り下げ保持具４は、上端が開口された有底平筒状の筒体１０と、この筒体１０の一側面上端から下方に延びて形成されたＶ字状差し込み部１１とを備えている。差し込み部１１は、ベルト３と身体側のズボンとの間に出し入れ自在に差し入れられるようになっている。筒体１０は、板体を断面Ｕ字状に折曲し、上側に向かって拡開されて形成された内外壁１０Ａ、１０Ｂと、これら内外壁１０Ａ、１０Ｂ間を接続する側壁１０Ｃ、１０Ｄとを備えている。
【００１７】
外側壁１０Ｂには、Ｙ字状切欠部１３が形成される。この切欠部１３は、上端開口部１２から連続して次第に窄まる案内部１３Ａと、この案内部１３Ａに連続し、下方に向かって幅Ｗ１で延びるスリット部１３Ｂとを有している。スリット部１３Ｂの円弧状下端１４は、外側壁１０Ｂの下端から所定の高さＨ１まで延びている。この筒体１０には、上下方向のほぼ中間、スリット部１３Ｂの上端に位置するあたりで、側壁１０Ｃ、１０Ｄが内側に深く入り込んだ括れ部１５が形成される。筒体１０の下部１６は、図２の（Ａ）に示すように、スリット部１３Ｂの下端１４を中心としたほぼ円筒状に形成される。吊り下げ保持具４は、差し込み部１１がベルト３と身体側のズボンとの間に挟み入れられると、ベルト３と身体側とで挟持され、外側壁１０Ｂの切欠部１３が外側に向くようになっている。
【００１８】
係合具５は、図３の（Ａ）ないし（Ｃ）に示すように、スリット部１３Ｂの幅Ｗ１より小径に形成された軸部２０と、この軸部２０の一端に形成され短寸部２１Ａが幅Ｗ１より長い矩形状鍔部２１と、軸部２０の他端から折曲されて延長されるＶ字状取り付け部２２とを備えている。鍔部２１は、短寸部２１Ａとこの短寸部２１Ａより長く形成される長寸部２１Ｂとを有する長方形の板体で構成される。取り付け部２２の両端には、ねじ穴２３が形成され、螺子により工具６のバッテリ部に取り付けられるようになっている。
【００１９】
鍔部２１の短寸部２１Ａの長さは、筒体１０の中間括れ部１５の間隙を通過できる大きさとなっている一方、長寸部２１Ｂの長さは、この中間括れ部１５の間隙を通過できない大きさとなっている。このため、係合具５は、鍔部２１を筒体１０内に導く際、図５の（Ａ）および図６の（Ａ）に示すように、長手方向を縦方向に合致させて下方に降ろすと、鍔部２１は中間括れ部１５の間隙を通過する。そして、係合具５が筒体１０の下部１６に案内され、工具６が吊り下がった状態で長寸部２１Ｂが横方向に向くと、その状態で、鍔部２１が上方に変位しても中間括れ部１５に当たってそれ以上の上方への変位が規制されるようになっている（図５の（Ｂ）、図６の（Ｂ）参照）。また、長寸部２１Ｂは、軸部２０中心Ｏ１からの長手方向寸法Ｌ１が筒体１０の円筒状下部１６の半径ｒ１より短くなっている。このため、係合具５は、軸部２０が筒体１０のスリット部１３Ｂを通過しスリット部１３Ｂの下端１４に達すると、筒体１０の下部１６で揺動するようになっている。
【００２０】
係合具５の軸部２０は、図５の（Ａ）に示すように、係合具５が吊り下げ保持具４のスリット部１３Ｂに差し入れられ、工具６が自重により吊り下がった状態で、長寸部２１Ａが水平に保持される。吊り下げられた工具６が、持ち運び時に揺動しても、筒体１０の円筒状下部１６は、鍔部２１の回動を許容するので軸２０はスリット部１３Ｂの下端１４で回動するようになっている。そして、工具６を吊り下げた状態から横方向に回して鍔部２１の長手方向を上下に向け、その状態で上方に引き上げると、係合具５はスリット部１３Ｂからの係合が解かれ、取り下げ保持具４から離脱するようになっている。
【００２１】
次に、上記第１の実施例に係る工具吊り下げ構造２の作用について説明する。上記実施例に係る工具吊り下げ構造２は、まず、吊り下げ保持具４の差し込み部１１を、ベルト３と身体側のズボンとの間に挟み入れ、吊り下げ保持具４をベルト３と身体側とにより保持する。このとき、吊り下げ保持具４の外側壁１０Ｂは、内側壁１０Ａから拡開して形成されている分外側に飛び出た状態となっている。工具６を吊り下げる際には、係合具５の鍔部２１を長手方向が上下方向に合致するよう工具６を横方向に保持し、その状態で、鍔部２１を案内部１３Ａの内側に導き軸部２０をスリット部１３Ｂに差し入れる。その状態で工具６を下げると、鍔部２１が中間括れ部１５の間隙を通過するとともに、軸部２０はスリット部１３Ｂを通過して下端１４に達し、工具６は係合具５を介して吊り下げ保持具４に吊り下げられる。この状態で、工具６に外力がかかり外側への力が加わっても、係合具５の鍔部２１が筒体１０の外側壁１０Ｂに当たるので、工具６が吊り下げ保持具４から脱落することがない。また、工具６に横方向の外力がかかっても、係合具５はスリット部１３Ｂの下端１４で軸部２０が回動するので、工具６は軸部２０を中心に揺動する。このとき、軸部２０は工具６の自重によりスリット部１３Ｂの下端１４に押しつけられた状態で回動するので、鍔部２１は軸部２０と一体に筒体１０の下部１６内で回動する。このため、工具６は外力により揺動しても吊り下げ保持具４から脱落することがなく、工具６をがたつきなく滑らかに揺動させることができる。
【００２２】
さらに、工具６が、吊り下げ保持具４に静止状態で吊り下げられている際、下方から外力を受けても、鍔部２１が中間括れ部１５に当たるので、係合具５が吊り下げ保持具４から抜け出すことがなく、工具６が外れる虞がない。また、係合具５は、工具６の所望の位置に取り付けることができるので、持ち運びし易い場所に取り付けることができ、工具６のバッテリ部など嵩張る部位をベルト３から遠ざけることができ、持ち運びしやすくなる。工具６を吊り下げ保持具４から外す際には、工具６を横方向に保持して係合具５の鍔部２１が上下方向に合致するようにし、その状態で工具６を上方に引き上げると、係合具５の軸部２０がスリット部１３Ｂから離脱し、つり上げ保持具４から取り外される。吊り下げ保持具４は、上方に引き上げられると、ベルト３から外れるようになっている。このように、本実施例に係る工具吊り下げ構造２では、工具６の着脱を容易に行うことができるので作業性が向上する。また、工具６が落下しにくいので、安全性が向上する。さらに、外力を受けても直接身体に衝撃を与えることがないので、作業しやすい。
【実施例２】
【００２３】
図４の（Ａ）ないし（Ｅ）はそれぞれ、鍔部２１の変形例を示すもので、鍔部を楕円形、半楕円形、外縁が不規則な曲線、三角形および多角形状に形成してもよい。
【００２４】
なお、上記実施例に係る工具吊り下げ構造２では、筒体１０を木製または合成樹脂製の板体で形成するようにしているがこれに限られるものではなく、筒体を外形を形作る枠体とこの枠体を覆って設けられる布やネットなどの柔軟材とにより袋状に構成するようにしてもよい。このように構成することにより、係合具は工具側から揺動方向の力が加わると柔軟材に当たるので、揺動を許容しやすくなる。このため、工具は外力を受けると、係合具を中心に揺動して力が分散されやすくなる。
【図面の簡単な説明】
【００２５】
【図１】（Ａ）および（Ｂ）はそれぞれ、本発明の一実施例に係る工具吊り下げ構造の吊り下げ保持具と係合具とを示す斜視図である。（実施例１）
【図２】（Ａ）および（Ｂ）はそれぞれ、図１の吊り下げ保持具の正面図および縦断面図である。
【図３】（Ａ）ないし（Ｃ）はそれぞれ、図１の係合具を示す平面図、正面図および側面図である。
【図４】（Ａ）ないし（Ｅ）はそれぞれ、図１の係合具の鍔部の変形例を示す説明図である。
【図５】（Ａ）および（Ｂ）はそれぞれ、工具を吊り下げ保持具に装着する前の状態と装着した際の状態を示す説明図である。
【図６】（Ａ）および（Ｂ）はそれぞれ、図５の状態をそれぞれ断面で示す説明図である。
【符号の説明】
【００２６】
２  工具吊り下げ構造
３  ベルト
４  吊り下げ保持具
５  係合具
６  工具
１０  筒体
１０Ｂ  外側壁
１１  差し込み部
１２  上端開口部
１３  切欠部
１３Ａ  案内部
１３Ｂ  スリット部
２０  軸部
２１  鍔部
２２  取り付け部
Ｗ１  幅
【図１】
2008284630.tif 000003
【図２】
2008284630.tif 000004
【図３】
2008284630.tif 000005
【図４】
2008284630.tif 000006
【図５】
2008284630.tif 000007
【図６】
2008284630.tif 000008